(57)【要約】【課題】放熱端末機への熱媒の供給温度を第１時間帯よりも第２時間帯の方が低くなるようにする運転モードでの運転時に、第２時間帯から第１時間帯への移行直後にヒートポンプ装置の除霜運転が行われることとなるのを極力防止する。【解決手段】暖房システム１の除霜制御手段７２は、放熱端末機５Ｌへの熱媒の供給温度を第１時間帯よりも第２時間帯の方が低くなるようにする熱媒供給温度切替モードでの運転時に、現在時刻が第２時間帯の終了直前のあらかじめ定められた所定の時間帯の時刻となった場合に、ヒートポンプ装置３の着霜度合が所定値よりも小さい状態であっても、ヒートポンプ装置３の除霜運転を実行する。【選択図】図３
2016118340.tif 000002
【特許請求の範囲】
【請求項１】
放熱を行う放熱端末機を経由する循環流路で該放熱端末機に供給する熱媒を加熱する熱源機として、ヒートポンプ装置と燃焼式熱源機とを備えると共に、前記ヒートポンプ装置の着霜度合を監視し、該着霜度合が所定値以上となった場合に該ヒートポンプ装置の除霜運転を行わせる除霜制御手段を備え、前記放熱端末機の運転時に、前記ヒートポンプ装置が前記熱媒を加熱する運転を行い得る状態では、該ヒートポンプ装置と前記燃焼式熱源機とのうちの少なくともヒートポンプ装置の運転を行うように構成された暖房システムであって、
当該暖房システムの運転モードとして、前記放熱端末機に供給する熱媒の温度である熱媒供給温度を、あらかじめ定められた第１時間帯と第２時間帯とのうちの第１時間帯よりも第２時間帯の方が低くするように、前記ヒートポンプ装置及び燃焼式熱源機のうちの少なくともいずれか一方の運転を行わせる熱媒供給温度切替モードを設定可能に構成された運転モード設定手段を備えており、
前記除霜制御手段は、前記熱媒供給温度切替モードでの前記放熱端末機の運転時に、現在時刻が前記第２時間帯の終了直前のあらかじめ定められた所定の時間帯の時刻となった場合に、前記着霜度合が前記所定値よりも小さい状態であっても、前記ヒートポンプ装置の除霜運転を実行するように構成されていることを特徴とする暖房システム。
【請求項２】
請求項１記載の暖房システムにおいて、
前記循環流路には、前記熱媒を貯める蓄熱タンクが介装されており、
前記除霜制御手段は、前記熱媒供給温度切替モードでの前記放熱端末機の運転時に、前記着霜度合が前記所定値よりも小さい状態にて現在時刻が前記所定の時間帯の時刻となった場合に、前記蓄熱タンク内の熱媒の温度を所定温度以上に昇温させるように前記ヒートポンプ装置の運転を行わせた後に、該ヒートポンプ装置の除霜運転を実行するように構成されていることを特徴とする暖房システム。
【請求項３】
請求項２記載の暖房システムにおいて、
前記除霜制御手段は、前記蓄熱タンク内の熱媒の温度を所定温度以上に昇温させるように前記ヒートポンプ装置の運転を行わせている状態では、前記着霜度合が前記所定値よりも高い第２の所定値以上となったか否かを判断し、該判断結果が否定的である場合には前記ヒートポンプ装置の除霜運転を実行せず、該該判断結果が肯定的となった場合には前記ヒートポンプ装置の除霜運転を実行するように構成されていることを特徴とする暖房システム。
【発明の詳細な説明】
【技術分野】
【０００１】
本発明は、暖房等のための放熱を行う放熱端末機に供給する熱媒を加熱する熱源機として、燃焼式熱源機とヒートポンプ装置とを備える暖房システムに関する。
【背景技術】
【０００２】
暖房等のための放熱を行う放熱端末機に供給する温水等の熱媒を加熱する熱源機として、燃焼式熱源機とヒートポンプ装置とを備える暖房システムが従来より知られている（例えば特許文献１を参照）。
【０００３】
この種の暖房システムでは、エネルギーの利用コストを抑制するために、ヒートポンプ装置の運転（熱媒を加熱する運転）を行い得る状況では、主にヒートポンプ装置の運転によって熱媒の加熱が行われ、燃焼式熱源機の運転による熱媒の加熱は補助的に行われる。
【０００４】
なお、ヒートポンプ装置は、その蒸発器の着霜が進行すると、熱量の発生効率が低下し、所要の熱量を発生することが困難となる虞がある。このため、ヒートポンプ装置の着霜度合がある程度高くなったと判断される状況で、ヒートポンプ装置の除霜運転が実行される（例えば特許文献２を参照）。この除霜運転の実行中は、ヒートポンプ装置は、熱媒を加熱する運転を行うことができなくなる。
【先行技術文献】
【特許文献】
【０００５】
【特許文献１】特開２０１３−１４２４９１号公報
【特許文献２】特開２０１２−２０７８９６号公報
【発明の概要】
【発明が解決しようとする課題】
【０００６】
前記暖房システムでは、放熱端末機の単位時間当たりの要求放熱量が、放熱端末機の運転の時間帯によって異なるものとなる場合が多い。例えば昼間の時間帯と夜間の時間帯とを比較した場合、夜間の時間帯は、ユーザが睡眠しているので、室温を普段よりも低下させてもよいとの考えから、夜間の時間帯での暖房設定温度が昼間の時間帯よりも低い温度に設定されることが多い。このような場合、放熱端末機の単位時間当たりの要求放熱量は、昼間の時間帯に比して、夜間の時間帯の方が低いものとなる。
【０００７】
そこで、例えば、放熱端末機の単位時間当たりの要求放熱量が比較的高いものとなりやすい第１時間帯（例えば昼間）と、該要求放熱量が比較的低いものとなりやすい第２時間帯（例えば夜間）とで、放熱端末機に供給する熱媒の目標温度を自動的に異ならせ、第１時間帯よりも第２時間帯の方が放熱端末機に供給する熱媒の温度を低くするように該熱媒の温調制御を行う運転モード（以降、熱媒供給温度切替モードということがある）を、暖房システムの１つの運転モードとして備えておき、当該熱媒供給温度切替モードでの運転を行うことを、ユーザが所望により選択設定し得るようにすることが考えられる。
【０００８】
かかる熱媒供給温度切替モードでは、第２時間帯での熱媒の供給温度を第１時間帯と同じにした場合に比べて、第２時間帯でのヒートポンプ装置及び燃焼式熱源機のトータルの発生熱量を抑制できるので、暖房システムにおけるエネルギーの利用コストを低減できる。
【０００９】
一方、上記熱媒供給温度切替モードでは、第２時間帯から第１時間帯への移行時に、放熱端末機への熱媒の供給温度を上昇させるために、通常、ヒートポンプ装置の大きな出力（発生熱量）を必要とすることとなる。
【００１０】
そして、ヒートポンプ装置の出力が大きい場合には、蒸発器の温度が低温になりやすいために、該蒸発器、あるいは、その周辺部への着霜が進行しやすい。
【００１１】
その結果、第２時間帯から第１時間帯への移行直後に、暖房システムの制御装置が、ヒートポンプ装置の着霜度合が高くなったと判断して、ヒートポンプ装置の除霜運転を開始してしまいやすくなる。
【００１２】
特に、着霜度合を判断するための指標値として、適宜のセンサによるヒートポンプ装置の蒸発器の温度の観測値を利用する場合には、第２時間帯から第１時間帯への移行直後に、ヒートポンプ装置の着霜度合が高くなったと判断されやすくなって、ヒートポンプ装置の除霜運転を開始してしまう頻度が高まりやすい。
【００１３】
そして、このように第２時間帯から第１時間帯への移行直後に、ヒートポンプ装置の除霜運転が開始されてしまうと、ヒートポンプ装置による熱媒の加熱を行うことができなくなるために、燃焼式熱源機の運転によって熱媒の加熱を行うこととなる。
【００１４】
この場合、第２時間帯から第１時間帯への移行直後は、熱媒の昇温のための必要熱量が大きいことから、燃焼式熱源機の発生熱量も大きなものとなる。その結果、第２時間帯から第１時間帯への移行直後におけるエネルギーの利用コストの増大化を招く虞がある。
【００１５】
本発明はかかる背景に鑑みてなされたものであり、放熱端末機への熱媒の供給温度を第１時間帯よりも第２時間帯の方が低くなるようにする運転モードでの運転時に、第２時間帯から第１時間帯への移行直後にヒートポンプ装置の除霜運転が行われることとなるのを極力防止し、ひいては該移行直後における燃焼式熱源機の大きな発生熱量を必要とする運転が行われることとなるのを抑制できる暖房システムを提供することを目的とする。
【課題を解決するための手段】
【００１６】
本発明の暖房システムは、かかる目的を達成するために、放熱を行う放熱端末機を経由する循環流路で該放熱端末機に供給する熱媒を加熱する熱源機として、ヒートポンプ装置と燃焼式熱源機とを備えると共に、前記ヒートポンプ装置の着霜度合を監視し、該着霜度合が所定値以上となった場合に該ヒートポンプ装置の除霜運転を行わせる除霜制御手段を備え、前記放熱端末機の運転時に、前記ヒートポンプ装置が前記熱媒を加熱する運転を行い得る状態では、該ヒートポンプ装置と前記燃焼式熱源機とのうちの少なくともヒートポンプ装置の運転を行うように構成された暖房システムであって、
当該暖房システムの運転モードとして、前記放熱端末機に供給する熱媒の温度である熱媒供給温度を、あらかじめ定められた第１時間帯と第２時間帯とのうちの第１時間帯よりも第２時間帯の方が低くするように、前記ヒートポンプ装置及び燃焼式熱源機のうちの少なくともいずれか一方の運転を行わせる熱媒供給温度切替モードを設定可能に構成された運転モード設定手段を備えており、
前記除霜制御手段は、前記熱媒供給温度切替モードでの前記放熱端末機の運転時に、現在時刻が前記第２時間帯の終了直前のあらかじめ定められた所定の時間帯の時刻となった場合に、前記着霜度合が前記所定値よりも小さい状態であっても、前記ヒートポンプ装置の除霜運転を実行するように構成されていることを特徴とする（第１発明）。
【００１７】
かかる第１発明によれば、前記熱媒供給温度切替モードにおいては、第２時間帯での熱媒供給温度を第１時間帯よりも低くするので、第２時間帯での熱媒の加熱に必要な熱量を低減できる。
【００１８】
そして、前記除霜制御手段は、現在時刻が前記第２時間帯の終了直前のあらかじめ定められた所定の時間帯（以降、第２時間帯終了直前時間帯ということがある）の時刻となった場合に、前記着霜度合が前記所定値よりも小さい状態であっても、前記ヒートポンプ装置の除霜運転を実行する。
【００１９】
ここで、放熱端末機への熱媒供給温度は、第２時間帯よりも第１時間帯の方が高いため、第２時間帯から第１時間帯への移行直後の時間帯において、放熱端末機に供給する熱媒の昇温に必要な熱量が比較的大きくなる。このため、仮に、上記第２時間帯終了直前時間帯でのヒートポンプ装置の除霜運転を行わないと、第２時間帯から第１時間帯への移行直後の時間帯に、ヒートポンプ装置の蒸発器等の温度が低下して、該蒸発器等への着霜が進行し易くなる。
【００２０】
しかるに、第１発明によれば、第２時間帯終了直前時間帯でのヒートポンプ装置の除霜運転を行うことで、ヒートポンプの蒸発器等が暖められることとなる。この結果、第２時間帯から第１時間帯への移行直後の時間帯に、ヒートポンプ装置の着霜度合が、前記所定値以上となるのが防止される。
【００２１】
このため、当該移行直後の時間帯で、ヒートポンプ装置の除霜運転が行われること、ひいては、該ヒートポンプ装置により熱媒の加熱を行うことができなくなることが防止され、当該移行直後の時間帯で、燃焼式熱源機の運転を行うことが必要となるのを極力防止できることとなる。
【００２２】
よって、第１発明によれば、放熱端末機への熱媒の供給温度を第１時間帯よりも第２時間帯の方が低くなるようにする運転モードでの運転時に、第２時間帯から第１時間帯への移行直後にヒートポンプ装置の除霜運転が行われることとなるのを極力防止し、ひいては該移行直後における燃焼式熱源機の大きな発生熱量を必要とする運転が行われることとなるのを抑制できる。
【００２３】
かかる第１発明の暖房システムは、前記循環流路に、前記熱媒を貯める蓄熱タンクが介装されている構成を採用し得る。そして、この場合、前記除霜制御手段は、前記熱媒供給温度切替モードでの前記放熱端末機の運転時に、前記着霜度合が前記所定値よりも小さい状態にて現在時刻が前記所定の時間帯の時刻となった場合に、前記蓄熱タンク内の熱媒の温度を所定温度以上に昇温させるように前記ヒートポンプ装置の運転を行わせた後に、該ヒートポンプ装置の除霜運転を実行するように構成されていることが好ましい（第２発明）。
【００２４】
この第２発明によれば、前記第２時間帯終了直前時間帯でヒートポンプ装置の除霜運転を行う前に、蓄熱タンク内の熱媒の温度が昇温される。このため、第２時間帯終了直前時間帯でのヒートポンプ装置の除霜運転中に、燃焼式熱源機の運転を行わずとも、放熱端末機に供給する温水の温度が、第２時間帯での目標温度に比して低下し過ぎるのを防止できる。ひいては、第２時間帯終了直前時間帯でのヒートポンプ装置の除霜運転中に、燃焼式熱源機の運転が必要となるのを極力防止できる。
【００２５】
上記第２発明では、前記第２時間帯終了直前時間帯での蓄熱タンク内の熱媒の昇温時に、ヒートポンプ装置の蒸発器等の温度が低下し易くなって、ヒートポンプ装置の着霜が進行し、ひいては、該ヒートポンプ装置の着霜度合が前記所定値以上となる虞がある。
【００２６】
そこで、上記第２発明では、前記除霜制御手段は、前記蓄熱タンク内の熱媒の温度を所定温度以上に昇温させるように前記ヒートポンプ装置の運転を行わせている状態では、前記着霜度合が前記所定値よりも高い第２の所定値以上となったか否かを判断し、該判断結果が否定的である場合には前記ヒートポンプ装置の除霜運転を実行せず、該判断結果が肯定的となった場合に前記ヒートポンプ装置の除霜運転を実行するように構成されていることが好ましい（第３発明）。
【００２７】
この第３発明によれば、、前記蓄熱タンク内の熱媒を昇温させている途中で、ヒートポンプ装置の除霜運転を行うこととなってしまうのを極力防止できる。また、ヒートポンプ装置の着霜度合が、前記第２の所定値以上になれば、ヒートポンプ装置の除霜運転が行われるので、ヒートポンプ装置が、着霜によって、蓄熱タンク内の熱媒を昇温させることが困難となっている状況では、該ヒートポンプ装置の除霜運転を行うことができる。
【図面の簡単な説明】
【００２８】
【図１】本発明の一実施形態の暖房システムの全体構成を示す図。
【図２】実施形態の暖房システムの制御に関する構成を示すブロック図。
【図３】図２に示す除霜制御部の処理を示すフローチャート。
【発明を実施するための形態】
【００２９】
本発明の一実施形態を図１〜図３を参照して説明する。図１を参照して、本実施形態の暖房システム１は、熱媒としての温水を貯蔵する貯湯タンク１１が搭載された貯湯タンクユニット２と、温水加熱用の第１の熱源機としてのヒートポンプ３１が搭載されたヒートポンプユニット３と、温水加熱用の第２の熱源機としての燃焼式熱源機４１が搭載された燃焼式熱源機ユニット４と、暖房等のための放熱を行う１つ以上の放熱端末機を含む放熱端末ユニット５とを備える。
【００３０】
貯湯タンクユニット２に搭載された貯湯タンク１１は、本発明における蓄熱タンクに相当する。この貯湯タンク１１には、該貯湯タンク１１内の温水（熱媒）を外部のヒートポンプ３１の凝縮機３５（詳細は後述する）を経由して循環させるための蓄熱用温水循環流路１２と、貯湯タンク１１内の温水を燃焼式熱源機ユニット４及び放熱端末ユニット５を経由して循環させるための温水循環流路１３（これは本発明における循環流路に相当する）とが接続されている。
【００３１】
また、貯湯タンク１１には、その高さ方向（上下方向）に間隔を存する複数（図示例では３つ）の高さ位置に、各高さ位置での貯湯タンク１１内の温水の温度を検出する温度センサ１４ａ，１４ｂ，１４ｃが装着されている。
【００３２】
蓄熱用温水循環流路１２は、貯湯タンク１１からヒートポンプ３１の凝縮機３５に温水を供給するための流路である蓄熱用温水往路１２ａと、該凝縮機３５から貯湯タンク１１に温水を環流させる蓄熱用温水復路１２ｂとを備える。
【００３３】
蓄熱用温水往路１２ａは、その上流端が貯湯タンク１１の下部に接続され、下流端が凝縮機３５に接続されている。そして、蓄熱用温水往路１２ａには、逆止弁１５と、貯湯タンク１１から流出する温水の温度を蓄熱用温水往路１２ａの上流部で検出する温度センサ１６と、手動式の開閉弁１７と、蓄熱用温水往路１２ａの上流側から下流側に向う温水の流れを発生させる蓄熱用循環ポンプ１８と、ヒートポンプ３１の凝縮機３５に流入する温水の温度を蓄熱用温水往路１２ａの下流部で検出する温度センサ１９とが装着されている。
【００３４】
蓄熱用温水復路１２ｂは、その上流端がヒートポンプ３１の凝縮機３５に接続され、下流端が貯湯タンク１１の上部に接続されている。そして、蓄熱用温水復路１２ｂには、凝縮機３５から流出する温水の温度を蓄熱用温水復路１２ｂの上流部で検出する温度センサ２０と、手動式の開閉弁２１と、貯湯タンク１１に流入する温水の温度を蓄熱用温水復路１２ｂの下流部で検出する温度センサ２２とが装着されている。
【００３５】
放熱端末ユニット５側の温水循環流路１３は、貯湯タンク１１から放熱端末ユニット５に温水を供給するための流路である温水往路１３ａと、放熱端末ユニット５から貯湯タンク１１に温水を環流させるための流路である温水復路１３ｂとを備える。
【００３６】
温水往路１３ａは、その上流端が前記蓄熱用温水復路１２ｂの下流端部（温度センサ２２よりも下流側の部分）に合流されている。従って、温水往路１３ａの上流端は、蓄熱用温水復路１２ｂの下流端部を介して貯湯タンク１１の上部に接続されている。
【００３７】
温水復路１３ｂは、その下流端が貯湯タンク１１の下部に接続されている。また、温水復路１３ｂの下流部には、貯湯タンクユニット２内に設置された混合弁２３が装着されている。
【００３８】
さらに、温水復路１３ｂの下流部と、温水往路１３ａの上流部とを、貯湯タンク１１内を経由させずに、混合弁２３を介して連通させるバイパス流路２４が、貯湯タンク１１と並列に温水循環流路１３に接続されている。
【００３９】
上記混合弁２３は、本実施形態では、２つの出口ポートを有しており、入口ポートから流入した温水のうち、２つの出口ポートの一方の出口ポートから流出させる温水の流量と、他方の出口ポートから流出させる温水の流量との割合を可変的に制御可能な弁である。
【００４０】
そして、混合弁２３は、その入口ポートが温水復路１３ｂの上流側に連通し、一方の出口ポートが温水復路１３ｂの下流側に連通するように、該温水復路１３ｂに介装されると共に、他方の出口ポートが、バイパス流路２４を介して温水往路１３ａの上流部に連通するように該バイパス流路２４に接続されている。
【００４１】
従って、混合弁２３の制御によって、温水復路１３ｂで貯湯タンクユニット２に戻ってきた温水の一部又は全部を、混合弁２３から貯湯タンク１１を経由させずに（バイパス流路２４を経由させて）、温水往路１３ａに環流させることが可能となっている。
【００４２】
なお、混合弁２３は、バイパス流路２４と温水往路１３ａとの接続箇所に介装されていてもよい。
【００４３】
また、温水往路１３ａには、貯湯タンクユニット２内で２つの温度センサ２５，２６が装着され、温水復路１３ｂには、貯湯タンクユニット２内で１つの温度センサ２７が装着されている。
【００４４】
温度センサ２５は、貯湯タンク１１（又は蓄熱用温水復路１２ｂ）から温水往路１３ａに流入する温水の温度を検出するセンサであり、温水往路１３ａのうち、バイパス流路２４の合流箇所よりも上流側の部分に装着されている。
【００４５】
温度センサ２６は、貯湯タンクユニット２から放熱端末ユニット５側に送出される温水の温度を検出するセンサであり、温水往路１３ａのうち、バイパス流路２４の合流箇所よりも下流側の部分に装着されている。
【００４６】
温水復路１３ｂに装着された温度センサ２７は、貯湯タンクユニット２に放熱端末ユニット５側から戻ってきた温水の温度を検出するセンサであり、温水復路１３ｂのうち、混合弁２３の上流側の部分に装着されている。
【００４７】
ヒートポンプユニット３は、屋外に設置されるユニットであり、本発明におけるヒートポンプ装置に相当する。このヒートポンプユニット３に搭載されたヒートポンプ３１は、貯湯タンクユニット２の貯湯タンク１１内の温水を加熱するための熱源機である。
【００４８】
ヒートポンプ３１は、公知の構造のものであり、ハイドロフルオロカーボン（ＨＦＣ）等の代替フロン、あるいは、二酸化炭素等の冷媒を循環させる冷媒循環流路３２と、この冷媒循環流路３２に装着された蒸発器３３、圧縮機３４、凝縮機３５、及び膨張機構３６と、蒸発器３３に外気（空気）を供給する回転ファン３７とを有する。
【００４９】
蒸発器３３は、冷媒循環流路３２を流れる冷媒と、回転ファン３７の回転により供給される外気（空気）との熱交換を行なう。
【００５０】
圧縮機３４は、蒸発器３３から供給される冷媒を圧縮することで、高温・高圧の冷媒を生成する。
【００５１】
凝縮機３５は、前記したように蓄熱用温水往路１２ａの下流端と蓄熱用温水復路１２ｂの上流端とが接続されており、蓄熱用温水循環流路１２に介装されている。
【００５２】
そして、凝縮機３５は、圧縮機３４から供給される高温・高圧の冷媒と、蓄熱用循環ポンプ１８の作動によって蓄熱用温水往路１２ａを介して貯湯タンク１１から供給される温水との熱交換を行なうことで、該温水を加熱し、加熱した温水を蓄熱用温水復路１２ｂを介して貯湯タンク１１に環流させる。
【００５３】
膨張機構３６は、膨張弁等により構成され、凝縮機３５から供給される放熱後の冷媒を断熱膨張させることでさらに冷却し、その冷却後の冷媒を蒸発器３３に送出する。
【００５４】
以上の蒸発器３３、圧縮機３４、凝縮機３５、及び膨張機構３６の作動により、凝縮機３５に貯湯タンク１１から供給される温水が加熱され、その加熱後の温水が貯湯タンク１１に戻される。これにより、貯湯タンク１１内の温水が加熱されて、該温水の蓄熱がなされる。
【００５５】
また、ヒートポンプユニット３には、蒸発器３３の温度と、蒸発器３３に供給される外気の温度とをそれぞれ検出する温度センサ３８，３９が備えられている。
【００５６】
放熱端末ユニット５は、本実施形態では、運転に必要な温水温度が比較的高い高温側放熱端末機５Ｈと、運転に必要な温水温度が高温側放熱端末機５Ｈよりも低い低温側放熱端末機５Ｌとを備える。
【００５７】
高温側放熱端末機５Ｈは、例えば浴室暖房装置、あるいは、浴室乾燥機等であり、低温側放熱端末機５Ｌは、例えば床暖房装置等である。
【００５８】
これらの高温側放熱端末機５Ｈ及び低温側放熱端末機５Ｌは、燃焼式熱源機ユニット４から温水が供給されるように、それぞれ、後述の温水流路４２Ｈ，４２Ｌに接続されている。さらに、高温側放熱端末機５Ｈ及び低温側放熱端末機５Ｌは、それぞれで放熱した温水を、貯湯タンクユニット２に環流させるように、前記温水復路１３ｂの上流端に並列に接続されている。
【００５９】
なお、高温側放熱端末機５Ｈ及び低温側放熱端末機５Ｌのそれぞれの運転停止状態では、燃焼式熱源機ユニット４からの温水の流入が図示しない弁により遮断されるようになっている。
【００６０】
補足すると、図１では、高温側放熱端末機５Ｈと低温側放熱端末機５Ｌとを、それぞれ１つずつ代表的に記載したが、高温側放熱端末機５Ｈと低温側放熱端末機５Ｌとのうちの一方だけが、暖房システム１に備えられていてもよい。
【００６１】
また、高温側放熱端末機５Ｈ又は低温側放熱端末機５Ｌが、暖房システム１に複数台備えられていてもよい。複数台の高温側放熱端末機５Ｈは、上流側の後述の温水流路４２Ｈに並列に接続される。同様に、複数台の低温側放熱端末機５Ｌは、上流側の後述の温水流路４２Ｌに並列に接続される。
【００６２】
燃焼式熱源機ユニット４は、燃焼式熱源機４１と、温水往路１３ａで送られてきた温水を必要に応じて加熱して、放熱端末ユニット５に供給するための流路であり、温水往路１３ａの下流側に連続する温水流路４２とを備える。以降の説明では、前記温水往路１３ａを温水上流往路１３ａ、前記温水流路４２を温水下流往路４２という。
【００６３】
燃焼式熱源機４１は、燃料を燃焼させるバーナ４４と、バーナ４４の燃焼運転によって発生する熱により温水を加熱する熱交換器４５，４６とを備える。
【００６４】
バーナ４４で燃焼させる燃料は、例えば都市ガス、ＬＰガス等の燃料ガスである。バーナ４４の燃焼運転時には、図示を省略する電磁開閉弁や比例弁等を備える燃料供給機構を介して燃料ガスがバーナ４４に供給される。また、燃焼用空気が図示しないファンによりバーナ４４に供給される。そして、バーナ４４に供給された燃料ガスに、図示しないイグナイタ等の点火器により点火することで、バーナ４４の燃焼運転が行われる。
【００６５】
なお、バーナ４４の燃焼運転に係わる燃料供給機構等の構成は、公知のものでよい。また、バーナ４４は、燃料ガスに限らず、灯油等の液体燃料を燃焼させるものであってもよい。
【００６６】
熱交換器４５，４６は、本実施形態では、主熱交換器４５及び補助熱交換器４６の２つの熱交換器により構成される。主熱交換器４５は、バーナ４４の燃焼排気から顕熱を吸熱し、その顕熱により温水を加熱する顕熱吸熱型の熱交換器である。また、補助熱交換器４６は、主熱交換器４５を通過した燃焼排気中の水蒸気が凝縮する際の潜熱を吸熱し、その潜熱により温水を加熱する潜熱吸熱型の補助的な熱交換器である。
【００６７】
なお、燃焼式熱源機４１は、主熱交換器４５及び補助熱交換器４６のうちの主熱交換器４５だけを備えるものであってもよい。
【００６８】
温水下流往路４２は、その上流端が温水上流往路１３ａの下流端に連通され、該温水上流往路１３ａを流れてきた温水が流入するようになっている。
【００６９】
なお、温水下流往路４２の上流端は、高温の温水の体積増加分を吸収する膨張タンク４７にも接続されている。
【００７０】
温水下流往路４２は、燃焼式熱源機ユニット４内で、燃焼式熱源機４１の補助熱交換器４６を経由するように配管され、さらに、該補助熱交換器４６の下流側で、高温側温水下流往路４２Ｈと、低温側温水下流往路４２Ｌとに分流されている。
【００７１】
高温側温水下流往路４２Ｈは、放熱端末ユニット５の高温側放熱端末機５Ｈに温水を供給するための温水流路である。この高温側温水下流往路４２Ｈは、燃焼式熱源機４１の主熱交換器４５を経由するように配管され、その下流端に高温側放熱端末機５Ｈが接続される。
【００７２】
低温側温水下流往路４２Ｌは、放熱端末ユニット５の低温側放熱端末機５Ｌに温水を供給するための温水流路である。この低温側温水下流往路４２Ｌは、主熱交換器４５を経由することなく配管され、その下流端に低温側放熱端末機５Ｌが接続される。
【００７３】
温水下流往路４２には、温水下流往路４２の上流側から下流側に向う温水の流れを発生させる温水供給用循環ポンプ５３が、温水下流往路４２の上流端から高温側温水下流往路４２Ｈ及び低温側温水下流往路４２Ｌへの分流箇所までの区間内で装着されている。
【００７４】
本実施形態の例では、温水供給用循環ポンプ５３は、高温側温水下流往路４２Ｈ及び低温側温水下流往路４２Ｌへの分流箇所寄りの位置に配置されている。なお、温水供給用循環ポンプ５３は、例えば温水上流往路１３ａ又は温水復路１３ｂに介装されていてもよい。
【００７５】
また、高温側温水下流往路４２Ｈには、その上流側の基幹の温水下流往路４２から該高温側温水下流往路４２Ｈに流入する温水の温度を検出する温度センサ５４と、主熱交換器４５から流出する温水の温度を検出する温度センサ５５とが装着されている。
【００７６】
本実施形態の例では、温度センサ５４は、高温側温水下流往路４２Ｈの上流端近傍の位置に配置され、温度センサ５５は、主熱交換器４５の近くで該主熱交換器４５の下流側に配置されている。
【００７７】
温度センサ５４が検出する温度は、換言すれば、高温側放熱端末機５Ｈに供給される温水の温度であり、温度センサ５５が検出する温度は、換言すれば、低温側放熱端末機５Ｌに供給される温水の温度である。
【００７８】
補足すると、燃焼式熱源機ユニット４は、さらに給湯用の燃焼式熱源機、浴槽の湯はり及び追い焚きのための流路構成等を備えていてもよい。
【００７９】
図２に示すように、本実施形態の暖房システム１は、さらに、貯湯タンクユニット２、ヒートポンプユニット３及び燃焼式熱源機ユニット４の運転制御を行う制御装置７１と、各放熱端末機５Ｈ，５Ｌの運転（放熱運転）のオンオフ、暖房システム１の運転モードの設定等の運転操作等を行うためのリモコン８１とを備えている。
【００８０】
リモコン８１は、各放熱端末機５Ｈ，５Ｌの運転のオンオフ操作、暖房温度の設定、暖房システム１の運転モードの設定等を行うための操作スイッチ部８２と、表示器、ランプ、ブザー、スピーカ等により構成される情報出力部８３とを備える。また、図示は省略するが、リモコン８１には、ＣＰＵ、ＲＡＭ、ＲＯＭ、インターフェース回路等により構成される制御回路部が内蔵されている。
【００８１】
また、リモコン８１は、制御装置７１と有線又は無線により通信可能とされ、操作スイッチ部８２の操作情報を制御装置７１に送信する。また、リモコン８１は、制御装置７１との通信、あるいは、操作スイッチ部８２の操作に応じて、暖房システム１の運転状態、設定情報等の各種情報を情報出力部８３に出力する。
【００８２】
ここで、本実施形態では、暖房システム１の運転モードとして、放熱端末ユニット５にに供給する温水（熱媒）の温度を、放熱端末機５Ｈ，５Ｌの運転の時刻が、第１時間帯及び第２時間帯の２つの時間帯のいずれの時間帯であるかによって自動的に異ならせる温水供給温度切替モードを、操作スイッチ部８２の所定の操作によって設定可能とされている。
【００８３】
この温水供給温度切替モードは、本発明における熱媒供給温度切替モードに相当し、第１時間帯よりも第２時間帯の方が放熱端末ユニット５への温水（熱媒）の供給温度が低くなるように、温水の温調制御を行う運転モードである。
【００８４】
この場合、第１時間帯及び第２時間帯は、ユーザによる操作スイッチ部８２の操作によってあらかじめ設定される時間帯である。第１時間帯は、放熱端末ユニット５での単位時間当たりの放熱量が比較的大きなものとなるように温水の供給温度を高めにすることをユーザが所望する時間帯、第２時間帯は、放熱端末ユニット５での単位時間当たりの放熱量が比較的小さくなるように温水の供給温度を低めにすることをユーザが所望する時間帯である。例えば、第１時間帯は、昼間の時間帯に設定され、第２時間帯は夜間の就寝時間帯に設定される。ただし、第１時間帯及び第２時間帯は、暖房システム１における既定の（デフォルトの）時間帯であってもよい。
【００８５】
また、第１時間帯での温水の温調制御用の目標供給温度（放熱端末ユニット５に供給する温水の目標温度）は、例えば標準的な既定の温度に設定される。例えば、高温側放熱端末機５Ｈの運転時（あるいは、高温側放熱端末機５Ｈ及び低温側放熱端末機５Ｌの両方の運転時）には８０℃、低温側放熱端末機５Ｌの運転時には６０℃というように、第１時間帯での温水の目標温度が設定される。
【００８６】
また、第２時間帯での温水の温調制御用の目標供給温度は、第１時間帯よりも低い温度（例えば４０°Ｃ）に設定される。
【００８７】
なお、第１時間帯での温水の目標供給温度と第２時間帯での温水の目標供給温度（あるいは、第１時間帯に対する第２時間帯の目標供給温度の低下度合）とは、ユーザによる操作スイッチ部８２の操作によって、既定の範囲内で調整し得るようになっていてもよい。
【００８８】
補足すると、リモコン８１の操作スイッチ部８２は、本発明における運転モード設定手段としての機能を有する。
【００８９】
制御装置７１は、ＣＰＵ、ＲＡＭ、ＲＯＭ、インターフェース回路等を含む電子回路ユニットにより構成される。なお、制御装置７１は、相互に通信可能な複数の電子回路ユニットにより構成されていてもよい。例えば、貯湯タンクユニット２、ヒートポンプユニット３及び燃焼式熱源機ユニット４のそれぞれに搭載された電子回路ユニットにより、制御装置７１が構成されていてもよい。
【００９０】
制御装置７１には、前記した各センサの検出データが入力されると共に、リモコン８１の操作情報（運転モードの設定情報等）が入力される。そして、制御装置７１は、実装されるプログラムにより実現される機能、あるいは、ハードウェア構成により実現される機能によって、貯湯タンクユニット２、ヒートポンプユニット３及び燃焼式熱源機ユニット４のそれぞれ機器（具体的には、貯湯タンクユニット２の混合弁２３、ヒートポンプユニット３の蓄熱用循環ポンプ１８、回転ファン３７、圧縮機３４、燃焼式熱源機ユニット４の温水供給用循環ポンプ５３、バーナ４４等）の作動を制御する。
【００９１】
この場合、制御装置７１は、その機能の一部として、ヒートポンプ３１の除霜運転を適宜行わせる除霜制御部７２を有する。該除霜制御部７２は、本発明における除霜制御手段に相当する。
【００９２】
この除霜制御部７２によって実行される除霜運転は、ヒートポンプ３１の蒸発器３３の加熱を行うことで、該蒸発器３３もしくはその周辺の着霜を除去する運転である。該除霜運転は、例えば、蓄熱用循環ポンプ１８の作動を停止した状態で、ヒートポンプ３１の運転を行う、あるいは、圧縮機３４で圧縮した冷媒を蒸発器３３に送るように冷媒を流す等の運転によって実現し得る。
【００９３】
次に、本実施形態の暖房システム１の作動を説明する。まず、暖房システム１の運転モードが、前記温水供給温度切替モードに設定された状態での基本的な作動を説明する。なお、以降の説明では、理解の便宜上、温水供給温度切替モードにおける第１時間帯及び第２時間帯で低温側放熱端末機５Ｌの放熱運転（暖房運転）が行われる場合を主要例として暖房システム１の作動を説明する。
【００９４】
温水供給温度切替モードにおける放熱端末機５Ｌの運転時（暖房運転時）に、制御装置７１は、温水供給用循環ポンプ５３を作動させつつ、混合弁２３の作動制御と、ヒートポンプ３１及び燃焼式熱源機４１の運転制御を行う。
【００９５】
この場合、第１時間帯及び第２時間帯のいずれの時間帯でも、ヒートポンプ３１の除霜運転時等、ヒートポンプ３１が温水を加熱する運転を行うことができない状況を除いて、貯湯タンク１１内の温水の温度が、放熱端末ユニット５への温水の目標供給温度以上の温度に保たれるように、蓄熱用循環ポンプ１８及びヒートポンプ３１の運転が適宜行われる。そして、前記温水上流往路１３ａで貯湯タンクユニット２から燃焼式熱源機ユニット４側に供給される温水の温度（温度センサ２６の検出温度）が、目標供給温度（第１時間帯では例えば６０℃、第２時間帯では例えば４０℃）に一致もしくは近い温度になるように混合弁２３の作動が制御される。
【００９６】
これにより、放熱端末ユニット５に供給される温水の温度が、目標供給温度に概ね一致するように温調制御が行われる。
【００９７】
また、例えば第１時間帯での放熱端末機５Ｌの単位時間当たりの要求放熱量が大きなものとなっている状況等、ヒートポンプ３１の運転だけでは温水を目標供給温度以上の温度に昇温できない状況、あるいは、ヒートポンプ３１の除霜運転時等、該ヒートポンプ３１による温水の加熱を行うことができない状況では、制御装置７１は、温水上流往路１３ａで燃焼式熱源機ユニット４側に供給される温水の温度（温度センサ２６の検出温度）が目標供給温度よりも所定量以上低い温度になっている状態が一定時間継続すると、燃焼式熱源機４１のバーナ４４の燃焼運転を開始させる。
【００９８】
そして、燃焼式熱源機ユニット４から放熱端末機５Ｌに供給される温水の温度（温度センサ５４の検出温度）が目標供給温度に一致もしくは近い温度になるようにバーナ４４の燃焼量が制御される。
【００９９】
このように、第１時間帯及び第２時間帯のいずれの時間帯でも、ヒートポンプ３１の運転（温水を加熱する運転）を行うことができる場合には、少なくともヒートポンプ３１の運転によって、放熱端末ユニット５に供給される温水が加熱される。また、ヒートポンプ３１の運転を行うことができないか、あるいは、ヒートポンプ３１の運転による温水の加熱・昇温が不十分である場合には、燃焼式熱源機４１のバーナ４４の燃焼運転によって温水の加熱が行われる。
【０１００】
そして、第２時間帯では、第１時間帯よりも低い目標供給温度で温水の温調制御が行われるので、暖房システム１のエネルギー消費量、ひいてはエネルギーの利用コストが抑制される。
【０１０１】
以上が、温水供給温度切替モードにおける暖房システム１の基本的な作動である。なお、暖房システム１の運転モードが温水供給温度切替モードに設定されていない場合には、例えば前記第１時間帯と同じ作動で放熱端末機５Ｌ（又は５Ｈ）の放熱運転が行われる。
【０１０２】
次に、ヒートポンプ３１の除霜運転に関する作動を図３を参照して説明する。
【０１０３】
制御装置７１の除霜制御部７２は、放熱端末機５Ｌ（又は５Ｈ）の運転が開始されると、図３のフローチャートに示す制御処理を実行する。具体的には、除霜制御部７２は、ＳＴＥＰ１において、ヒートポンプ３１の着霜度合が、除霜運転を行うことが望ましい程度に比較的高い状態であるか否かを判断するための除霜判定用温度閾値αをあらかめ定められた通常値（デフォルト値）に設定した状態で、ＳＴＥＰ２において、該除霜判定用温度閾値αに基づく除霜運転開始条件（除霜運転を開始すべき条件）が成立するか否かを判断する。
【０１０４】
ここで、本実施形態では、除霜制御部７２は、ヒートポンプユニット３に備えた前記温度センサ３８，３９でそれぞれ検出される蒸発器３３の温度と外気温度との温度差ΔＴ（＝外気温度−蒸発器３３の温度）をヒートポンプ３１の着霜度合を表す指標値として用い、該温度差を逐次監視する。この場合、当該温度差ΔＴが高いほど、蒸発器３３もしくはその周辺への着霜が進行している。
【０１０５】
そこで、除霜制御部７２は、ＳＴＥＰ２において、温度差ΔＴが上記除霜判定用温度閾値α以上となったか否かを判断し、ΔＴ≧αとなった場合に、除霜運転開始条件が成立したと判断する。なお、ΔＴ≧αとなる状態は、ヒートポンプ３１の着霜度合が所定値以上に高くなった（着霜状態を解消することが望ましい程度に高くなった）と見なし得る状態である。また、除霜判定用温度閾値αの通常値は、例えば１３℃である。
【０１０６】
そして、除霜制御部７２は、ＳＴＥＰ２で、除霜運転開始条件が成立したと判断した場合には、ＳＴＥＰ１０において、ヒートポンプ３１の除霜運転を実行する。この除霜運転は、例えば所定時間の期間、行われる。
【０１０７】
そして、除霜制御部７２は、この除霜運転の終了後、ＳＴＥＰ１１において除霜判定用温度閾値αを通常値に設定して、再び、ＳＴＥＰ２の判断処理を再開する。
【０１０８】
ＳＴＥＰ２の判断処理で、除霜運転開始条件が成立していない場合には、除霜制御部７２は、次に、ＳＴＥＰ３において、暖房システム１の運転モードが前記温水供給温度切替モードに設定されているか否かを判断する。この判断結果が否定的である場合には、ＳＴＥＰ２からの処理が繰り返される。
【０１０９】
ＳＴＥＰ３の判断結果が肯定的である場合（運転モードが温水供給温度切替モードである場合）には、除霜制御部７２は、ＳＴＥＰ４において、現在時刻が、温水供給温度切替モードにおける第２時間帯の終了直前（第２時間帯から第１時間帯への切替わりの直前）の時間帯（以降、第２時間帯終了直前時間帯という）の時刻であるか否かを判断する。
【０１１０】
該第２時間帯終了直前時間帯は、第２時間帯の終了時刻から所定時間前（例えば３０分前）までの時間帯である。該時間帯の時間幅は、その時間内でヒートポンプ３１の除霜運転を行い得るように、あらかじめ実験等に基づいて設定されている。
【０１１１】
ＳＴＥＰ４の判断結果が否定的である場合（現在時刻が第２時間帯終了直前時間帯の時刻でない場合）には、ＳＴＥＰ２からの処理が繰り返される。
【０１１２】
また、ＳＴＥＰ４の判断結果が肯定的である場合（現在時刻が第２時間帯終了直前時間帯の時刻である場合）には、除霜制御部７２は、ＳＴＥＰ５において、前記温度センサ１４ａにより検出される貯湯タンク１１内の上部の温水温度（以降、貯湯温度という）が所定温度Ｔth以上であるか否かを判断する。この場合、所定温度Ｔthは、第２時間帯での温水の目標供給温度よりも所定値（例えば２０℃）だけ高い温度に設定される。
【０１１３】
このＳＴＥＰ５の判断結果が肯定的となる状態は、ヒートポンプ３１の除霜運転を行っても、該除霜運転の実行期間中に、放熱端末機５Ｌの運転（暖房運転）のための目標供給温度に近い温度の温水をある程度継続的に放熱端末ユニット５に供給でき、ひいては、該除霜運転の実行期間中に、燃焼式熱源機４１のバーナ４４の燃焼運転が開始されることとなるのを回避（もしくは極力回避）することができるような状態である。
【０１１４】
そして、ＳＴＥＰ５の判断結果が否定的となる場合には、除霜制御部７２は、ＳＴＥＰ８において前記除霜判定用閾値αをあらかじめ定められた緩和値に設定し、さらに、ＳＴＥＰ９において、ヒートポンプ３１の出力（凝縮機３５での発生熱量）を増加させる出力増加運転を行う。そして、除霜制御部７２は、この状態でＳＴＥＰ２からの処理を繰り返す。
【０１１５】
ここで、除霜判定用閾値αに関する上記緩和値は、α＝通常値である場合よりも、ＳＴＥＰ２において前記除霜開始条件が成立し難くなるようにするものであり、通常値よりも高い温度値である。例えば、除霜判定用閾値αの通常値が１３℃であるとした場合、緩和値は、例えば２０℃とされる。
【０１１６】
なお、外気温度と蒸発器３３の温度との温度差ΔＴが上記緩和値以上となる状態は、ヒートポンプ３１の着霜度合が、α＝通常値である場合に対応する所定値よりも高い第２の所定値以上になった状態に相当する。
【０１１７】
上記のようにＳＴＥＰ８において除霜判定用閾値αを、通常値からそれよりも高い温度値の緩和値に変更するのは、前記貯湯温度を前記所定温度Ｔth以上の温度に昇温させ得る熱量をヒートポンプ３１が発生できる状態では、該ヒートポンプ３１の除霜開始条件が成立することとなる（ひいてはヒートポンプ３１の除霜運転が開始されてしまう）のを極力回避するためである。
【０１１８】
より詳しく説明すると、貯湯温度を昇温させるために、ＳＴＥＰ９において、ヒートポンプ３１の出力増加運転を行うと、ヒートポンプ３１の蒸発器３３の温度が低下するため、外気温度と蒸発器３３の温度との温度差ΔＴが出力増加運転を行う前よりも増加する。
【０１１９】
このため、除霜判定用閾値αの通常値のままであると、ヒートポンプ３１の出力増加運転によって、除霜開始条件が成立して、該ヒートポンプ３１により温水を加熱する運転を行うことができなくなる（ひいては、貯湯温度の昇温を行うことができなくなる）状況が生じ易い。
【０１２０】
一例として、外気温度が０℃の環境下で、ヒートポンプ３１の出力増加運転の開始前の出力が４．５ｋＷとなっている状態で、ヒートポンプ３１の着霜がある程度発生している場合に、上記温度差ΔＴが例えば９℃となる。この状態からヒートポンプ３１の出力増加運転を６ｋＷの出力で開始した場合、蒸発器３３での冷媒の温度がより低温になるために、上記温度差ΔＴが例えば１５°Ｃに増加する。
【０１２１】
この場合、除霜判定用閾値αの通常値（例えば１３℃）を変更しないまま、ヒートポンプ３１の出力増加運転を開始すると、ΔＴ≧αという除霜開始条件が成立して、ヒートポンプ３１の除霜運転を開始することとなる。
【０１２２】
そこで、ヒートポンプ３１の出力増加運転の実行時には、除霜制御部７２は、除霜判定用閾値αを上記緩和値（例えば２０℃）に設定する。これにより、ヒートポンプ３１の出力増加運転の実行によって、温度差ΔＴが１５°Ｃに増加しても、ΔＴ＜αとなって除霜開始条件が成立しなくなる。
【０１２３】
ただし、ヒートポンプ３１の着霜度合がさらに高くなっている状態では、ヒートポンプ３１が貯湯温度を昇温させ得る熱量を発生できなくなる。このため、このような状態では、ΔＴ≧緩和値となって、除霜開始条件が成立するように、当該緩和値が設定されている。
【０１２４】
このように、ＳＴＥＰ８において除霜判定用閾値αを通常値から緩和値に変更することで、前記貯湯温度が前記所定温度Ｔth以上の温度に昇温させ得る熱量をヒートポンプ３１が発生できる状態では、該ヒートポンプ３１の除霜開始条件が成立することとなるのを極力回避することができる。
【０１２５】
なお、ＳＴＥＰ９におけるヒートポンプ３１の出力増加運転時の出力は、あらかじめ定めた一定の出力でもよいが、貯湯温度の検出値、外気温度の検出値等に応じて可変的に設定してもよい。
【０１２６】
温水供給温度切替モードでの第２時間帯終了直前時間帯において、ＳＴＥＰ２での除霜開始条件が成立しないまま、ヒートポンプ３１の出力増加運転が継続すると、貯湯温度が所定温度Ｔth以上に上昇して、ＳＴＥＰ５の判断結果が肯定的となる。このようＳＴＥＰ５の判断結果が肯定的になると、除霜制御部７２は、ＳＴＥＰ６において、ヒートポンプ３１の除霜運転を強制的に実行する。この除霜運転は、ＳＴＥＰ１０の除霜運転と同様に実行される。
【０１２７】
そして、除霜制御部７２は、この除霜運転の終了後、ＳＴＥＰ７において除霜判定用温度閾値αを通常値に設定して、再び、ＳＴＥＰ２の判断処理を再開する。
【０１２８】
以上がヒートポンプ３１の除霜運転に関する制御処理である。
【０１２９】
以上説明した本実施形態によれば、放熱端末ユニット５への温水の目標供給温度が第１時間帯よりも低い第２時間帯の終了直前の時間帯（第２時間帯終了直前時間帯）において、除霜開始条件が成立する場合はもちろん、成立しない場合であっても、ヒートポンプ３１の除霜運転が実行され、この除霜運転によってヒートポンプ３１の蒸発器３３が加熱されることとなる。
【０１３０】
このため、第２時間帯から第１時間帯への移行直後の時間帯において、放熱端末ユニット５の温水の供給温度を上昇させるために、ヒートポンプ３１の出力（発生熱量）を増加させるように該ヒートポンプ３１の運転を行っても、前記ＳＴＥＰ２での除霜開始条件が成立するのが防止される。
【０１３１】
従って、第２時間帯から第１時間帯への移行直後の時間帯（温水の昇温のために比較的大きな熱量を必要とする時間帯）にヒートポンプ３１の運転を行うことができなくなるのが防止され、ひいては、温水の昇温のために、燃焼式熱源機４１のバーナ４４の燃焼運転を開始することとなるのを極力防止できる。
【０１３２】
また、第２時間帯終了直前時間帯において、ヒートポンプ３１の出力増加運転によって、基本的には、貯湯温度を、第２時間帯での温水の目標供給温度よりも高い所定温度Ｔth以上の温度に昇温させた上で、ヒートポンプ３１の除霜運転を行うので、第２時間帯終了直前時間帯での除霜運転中に、燃焼式熱源機４１のバーナ４４の燃焼運転が必要となるのを極力防止できる。
【０１３３】
このように、第２時間帯から第１時間帯への移行直後の時間帯、あるいは、第２時間帯終了直前時間帯におけるヒートポンプ３１の出力増加運転時に、燃焼式熱源機４１のバーナ４４の燃焼運転を行うこととなるのが極力防止される。ひいては、暖房システム１のエネルギーの利用コストを効果的に低減できる。
【０１３４】
また、ヒートポンプ３１の出力増加運転中は、除霜判定用閾値αを通常値から緩和値に変更して、除霜開始条件が成立し難くするので、貯湯温度の昇温を速やかに行うことができる。
【０１３５】
次に、以上説明した実施形態の変形態様をいくつか説明する。
【０１３６】
前記実施形態では、第２時間帯終了直前時間帯でヒートポンプ３１の除霜運転を強制的に行う前に、ヒートポンプ３１の出力増加運転によって、貯湯温度を昇温させるようにしたが、ヒートポンプ３１の出力増加運転を行うことを省略することも可能である。例えば、ＳＴＥＰ４の判断結果が肯定的である場合に、ＳＴＥＰ５の判断処理を行うことなく、ＳＴＥＰ６で除霜運転を強制的に実行するようにしてもよい。
【０１３７】
このようにした場合には、ヒートポンプ３１の強制的な除霜運転の実行中に、放熱端末ユニット５に供給される温水の温度が低下して、該温水の温調制御のために燃焼式熱源機４１のバーナ４４の燃焼運転が必要となる可能性は高まるものの、第２時間帯での温水の温調制御に必要な熱量は、第２時間帯から第１時間帯への移行直後に比して小さいので、バーナ４４の燃焼量は比較的少ないもので済む。
【０１３８】
また、前記実施形態では、ヒートポンプ３１の出力増加運転時に、除霜判定用閾値αを通常値から緩和値に変更するようして、除霜開始条件が成立し難くなるようにしたが、該除霜判定用閾値αの変更を行うことを省略する（すなわち、ＳＴＥＰ７の処理を省略する）ことも可能である。
【０１３９】
このようにした場合であっても、ヒートポンプ３１の出力増加運転時における出力を、例えば前記温度差ΔＴ等に応じて適切に調整することで、ＳＴＥＰ２での除霜開始条件が極力成立しないようにしつつ、貯湯温度を昇温させることもできる。
【０１４０】
また、前記実施形態では、ヒートポンプ３１の除霜運転の必要性を判断するために、ヒートポンプ３１の着霜度合を示す指標値として前記温度差ΔＴを用いたが、ヒートポンプ３１の着霜度合に対応するものであれば、該温度差ΔＴ以外の指標値を用いてもよい。
【０１４１】
また、前記実施形態では、貯湯タンク１１内の温水を熱媒として、放熱端末ユニット５に供給するようにしたが、貯湯タンク１１内の温水（又は適宜の熱媒）と、放熱端末ユニット５に供給する熱媒との熱交換を熱交換器を介して行うことで、放熱端末ユニット５に供給する熱媒を加熱するようにしてもよい。
【０１４２】
さらに、貯湯タンク１１を省略し、温水循環流路１３を流れる熱媒を、ヒートポンプ３１により熱交換器を介して加熱するようにすることも可能である。
【０１４３】
また、放熱端末機５Ｈ，５Ｌに供給する熱媒は、温水に限らず、不凍液等の熱媒であってもよい。
【符号の説明】
【０１４４】
１…暖房システム、３…ヒートポンプユニット（ヒートポンプ装置）、１１…貯湯タンク（蓄熱タンク）、１３…温水循環流路（循環流路）、７２…除霜制御部（除霜制御手段）、８２…操作スイッチ部（運転モード設定手段）。
【図１】
2016118340.tif 000003
【図２】
2016118340.tif 000004
【図３】
2016118340.tif 000005